(57)【特許請求の範囲】
【請求項１】
以下の成分（Ａ）〜（Ｃ）：
（Ａ）  Ｃ１０〜Ｃ２０の高級脂肪酸塩  １５〜２０重量％
（Ｂ）  硫酸ナトリウム、塩化ナトリウム、及び塩化カリウムからなる群より選択される少なくとも一種の無機酸の塩  １０〜１５重量％
（Ｃ）  水  ６５〜７４重量％
を含有し、且つ成分（Ａ）の高級脂肪酸塩の少なくとも５０重量％がカリウム塩であることを特徴とする固形洗浄剤組成物。
【請求項２】
成分（Ａ）がＣ１２〜Ｃ１８の高級脂肪酸塩である請求項１記載の固形洗浄剤組成物。
【請求項３】
成分（Ｄ）  アシルイセチオン酸ナトリウム、アルキル硫酸ナトリウム、アルキルエーテル硫酸ナトリウム、アルキルベタイン、アルキルスルタイン及びアルキルアミンオキサイドからなる群から選択される少なくとも一種の界面活性剤  ２〜５重量％
を更に含有する請求項１又は２に記載の固形洗浄剤組成物。
【請求項４】
一回使い切り用固形石鹸である請求項１乃至３のいずれか一項に記載の固形洗浄剤組成物。
【発明の詳細な説明】
【０００１】
【発明の属する技術分野】
本発明は、固形洗浄剤組成物に関する。特に、一回使い切りの用途にも適した固形洗浄剤組成物に関する。
【０００２】
【従来の技術】
固形石鹸は、使用後に好ましいさっぱり感を使用者に与えることができるために、現在でも広く用いられている。
【０００３】
しかし、公衆トイレに備え付けられている固形石鹸の場合、不特定多数の人が同一の石鹸表面に触れるために、不快感を感じる人も多い。そこで、一回で使い切れる携帯用の洗浄剤として、液状洗浄剤を小さなスクリュー容器やヒートシール袋に充填したものを使用することが考えられる。しかしながら、個別に包装した場合、持ち運びの際に液漏れするおそれがあり、また、使用の度毎に容器や袋のゴミを排出することとなり、地球環境に対して悪影響を及ぼすことが懸念される。液状洗浄剤を気密性の高い容器に充填して使用すれば、液漏れやゴミの出る頻度を少なくすることができるが、嵩ばるために携帯性の点で問題がある。
【０００４】
そこで、一回で丁度使い切れるような量の石鹸をタブレットに加工することが考えられる。しかし、通常の機械練りタイプの処方の固形石鹸の場合には、押出し成形を可能とするために水分含量が５〜１５重量％となっているため、特に冷水に対する溶解性が十分でなく、このため一回で使い切るためには紙のように薄く加工する必要がある。また、紙のように加工すると手の中で十分に擦り合わせにくく、十分に泡立たないという欠点がある。
【０００５】
このような欠点を解決する一つの手段として、固形石鹸の含水割合を約３０重量％以上とすることが考えられる。これは、含水量を増加させることにより、溶解性が向上し、しかも所定量の脂肪酸石鹸量に対する石鹸成形物の容積が増えるために擦り合わせ易くなって泡立ち性が向上するためである。
【０００６】
従来の高含水量の石鹸としては、古くから水分量が６０％〜７０％の抱水石鹸と称されるものがある（山本正己著、「内外国製石鹸ノ分析」、薬学雑誌、明治３１年）。これは、水分６０％〜７０％を含有するナトリウム塩のニ−トソ−プ中に、塩化ナトリウム等の電解質を塩折しない程度加えた後、放冷して固形化させた枠練り石鹸である。
【０００７】
また、石鹸組成物中にデキストリンを添加することにより含水率を向上させた高含水固形石鹸も提案されている（米国特許第４６０６８３９号明細書）。また、中和カルボン酸の硬質なかみ合わせメッシュで水を抱えた高含水固形石鹸も提案されている（特表平６−５０３１２２号公報）。
【０００８】
【発明が解決しようとする課題】
しかしながら、古くからの抱水石鹸は、含水割合が高いにもかかわらず、含有されているナトリウム塩と賦形剤として添加されている電解質とによる影響のために、溶解性が未だ不十分であり、しかも硬度が低く、持ち運びの際に変形や崩れが生ずるという問題がある。また、デキストリンを添加して含水率を向上させた高含水固形石鹸の場合も、溶解性が不十分であるという問題がある。また、中和カルボン酸の硬質なかみ合わせメッシュで水を抱えた高含水固形石鹸の場合も、処方面からみると抱水石鹸とほぼ同一であり、溶解性の問題は解決されていない。
【０００９】
本発明は、以上の従来の技術の課題を解決しようとするものであり、石鹸を主成分とする固形洗浄剤組成物であって、一回で使い切りできるような大きさに成形した場合でも、従来の機械練りの固形石鹸と同等もしくはそれよりも良好な溶解性と泡立ち性とを有し、しかも通常の持ち運びに耐えうる硬度を有する固形洗浄剤組成物を提供することを目的とする。
【００１０】
【課題を解決するための手段】
本発明者らは、種々検討を行った結果、高級脂肪酸のカリウム塩と、塩化ナトリウム、硫酸ナトリウム等の無機酸の塩とを組み合わせて石鹸を好ましくは枠練り法で調製した場合に、特に冷水に対しても非常に高い溶解性と泡立ち性とを示し、通常の持ち運びに耐えうる硬度を有する高含水率（少なくとも３０重量％）の固形石鹸組成物が得られることを見出し、本発明を完成させるに至った。
【００１１】
即ち、本発明は、以下の成分（Ａ）〜（Ｃ）：
（Ａ）  Ｃ１０〜Ｃ２０の高級脂肪酸塩  １５〜２０重量％
（Ｂ）  硫酸ナトリウム、塩化ナトリウム、及び塩化カリウムからなる群より選択される少なくとも一種の無機酸の塩  １０〜１５重量％
（Ｃ）  水  ６５〜７４重量％
を含有し、且つ成分（Ａ）の高級脂肪酸塩の少なくとも５０重量％がカリウム塩であることを特徴とする固形洗浄剤組成物を提供する。
【００１２】
【発明の実施の形態】
本発明の固形洗浄剤組成物は、前述したように、成分（Ａ）としてＣ１０〜Ｃ２０の高級脂肪酸塩と、成分（Ｂ）として無機酸の塩と、成分（Ｃ）として水とを含有する。
【００１３】
ここで、成分（Ａ）の高級脂肪酸塩を構成する高級脂肪酸としては、Ｃ１０〜Ｃ２０、好ましくはＣ１２〜１８の飽和又は不飽和の直鎖又は分岐脂肪酸の一種又は二種以上を使用する。炭素数が１０未満であると起泡性が劣化し、２０を超えると溶解性が低下するためである。
【００１４】
このような高級脂肪酸の具体例としては、牛脂、羊油等の動物油脂、ヤシ油、パーム核油、大豆油、オリ−ブ油、綿実油等の植物油脂等などを常法により高圧分解してえられた脂肪酸混合物や、これらを分離精製してえられるラウリン酸、ミリスチン酸、パルミチン酸、ステアリン酸、オレイン酸、イソミリスチン酸、イソパルミチン酸、イソステアリン酸等を挙げることができる。これらは単独で使用することもでき、複数種を併用することもできる。
【００１５】
以上のような高級脂肪酸とイオン結合して塩を構成するための対イオンとしては、ナトリウムイオン、カリウムイオン等のアルカリ金属イオン、アンモニウムイオン、炭素数２〜３のヒドロキシアルキル基を有するアルカノールアンモニウムイオン等を挙げることができるが、高級脂肪酸塩の少なくとも５０重量％以上をカリウム塩とすることが好ましい。カリウム塩が５０重量％未満であると、固形洗浄剤組成物の溶解性が低下する。
【００１６】
成分（Ａ）の高級脂肪酸塩の固形洗浄剤組成物中の含有量は、３〜２５重量％、好ましくは５〜２０重量％である。これは、３％重量未満であると固形洗浄剤組成物の起泡性が低下し、２５重量％を超えると溶解性が低下するためである。この範囲内においては、使用する脂肪酸の種類や望まれる溶解速度、硬度等に応じて適宜その含有量を定めることができる。
【００１７】
本発明の固形洗浄剤組成物においては、成分（Ｂ）として無機酸の塩を使用する。ここで、無機酸の塩として、塩化ナトリウム、塩化カリウム、炭酸ナトリウム、硫酸ナトリウム、炭酸カリウム、硫酸マグネシウム、ピロリン酸ナトリウム等の無機酸のアルカリ金属塩やアルカリ土類金属塩を挙げることができる。これらの水和物も同様に使用することができる。また、これらは成分（Ｂ）として単独で使用することもできるし、二種以上を併用することもできる。このうち硫酸ナトリウムは室温付近で結晶水の放出が起こるために、固形洗浄剤組成物の溶解性を向上させる効果が高いので好ましく使用することができる。
【００１８】
成分（Ｂ）の無機酸の塩又は高級脂肪酸以外の有機酸の塩の固形洗浄剤組成物中の含有量は、３〜２０重量％、好ましくは５〜１５重量％である。これは、３重量％未満では固形洗浄剤組成物が固化せず、２０重量％を超えると溶解性が低下するためである。
【００１９】
本発明の固形洗浄剤組成物においては、成分（Ｃ）として水を使用する。この水の一部は、寒天、ゼラチン等で固化させて使用することもできる。
【００２０】
成分（Ｃ）の水の固形洗浄剤組成物中の含有量は３０〜８０重量％、好ましくは４０〜７０重量％である。これは、３０重量％未満であると固形洗浄剤組成物の溶解性が低下し、８０重量％を超えると固化させることが困難だからである。
【００２１】
本発明の固形洗浄剤組成物には、上述の成分（Ａ）、（Ｂ）及び（Ｃ）に加えて、泡立ち性を向上させるために、成分（Ｄ）として、アシルイセチオン酸ナトリウム、アルキル硫酸ナトリウム、アルキルエーテル硫酸ナトリウム、アルキルベタイン、アルキルスルタイン、アルキルアミンオキサイドからなる群より選択される少なくとも一種の界面活性剤を、必要に応じて含有させることができる。中でも、アルキルベタインを好ましく使用することができる。
【００２２】
成分（Ｄ）の界面活性剤の固形洗浄剤組成物中の含有量は、少なすぎると固形洗浄剤組成物の泡立ち性の向上が十分でなく、多すぎると固形化が困難となるので、好ましくは１〜２０重量％、より好ましくは２〜５重量％である。
【００２３】
本発明の固形洗浄剤組成物には、上述した各成分の他に、必要に応じて、通常の皮膚洗浄剤の含有成分、例えば、プロピレングリコール、グリセリン、ソルビト−ル、白糖等の保湿剤、高級アルコール、エステル、シリコーン等の油剤、香料、色素、紫外線吸収剤、殺菌剤、防腐剤、安定化剤等を含有させることができる。
【００２４】
本発明の固形洗浄剤組成物は、好ましくは枠練り法により製造することができる。例えば、まず、牛脂、羊油等の動物油脂、あるいはヤシ油、パーム核油、大豆油、オリーブ油、綿実油等の植物油脂等の単独または複数種を水酸化カリウムや水酸化ナトリウムなどのアルカリ剤でケン化するか、もしくはこれらの油脂を加水分解することにより得られる高級脂肪酸の単独または複数種を、水酸化カリウム、水酸化ナトリウム、アルカノールアミン等で中和することにより成分（Ａ）の高級脂肪酸塩を得る。得られた成分（Ａ）の高級脂肪酸塩に、成分（Ｂ）の無機酸の塩と、必要に応じて成分（Ｄ）の界面活性剤を添加し、混合撹拌する。なお、成分（Ｃ）の水は、成分（Ａ）の調製における高級脂肪酸の中和時に中和用のアルカリ剤とともに添加してもよいし、成分（Ｂ）の水溶液を調製する際の溶媒として添加してもよい。また、成分（Ｄ）とともに添加してもよい。このようにして得られた成分（Ａ）〜（Ｃ）及び必要に応じて添加された他の成分からなる石鹸溶液を、クーリングプレートで冷却したり、あるいは室温の室内に放置することにより比較的大きなプレート状に固化させ、その後にそれを切断、型打ちを行って成形することにより固形洗浄剤組成物を製造することができる。あるいは、前述の石鹸溶液を、個別の型に流し込み、そのまま冷却し、又は室温で放置することで成型することにより製造することもできる。
【００２５】
このようにして得られる本発明の固形洗浄剤組成物は、皮膚の清浄等の用途に好ましく使用することができる。特に、非常に小さく（例えば３〜５ｇ、２０(L)×２０(w)×１０(H)（ｍｍ）程度の大きさ）に成形した場合でも、良好な溶解性と泡立ち性とを有しており、しかも持ち運びに耐えうる強度を有しているので、携帯用の一回使い切り固形石鹸として有用である。
【００２６】
【実施例】
以下、本発明を実施例に基づいて具体的に説明する。
【００２７】
実施例１〜５及び比較例１〜２
表１及び表２に示す各成分の固形洗浄剤組成物を枠練り法により製造した。また、得られた固形洗浄剤組成物の溶解性、泡立ち性及び硬さについて、以下に説明するように試験し評価した。得られた結果を表１及び表２に示す。
【００２８】
（溶解性試験）
固形洗浄剤組成物を、２７ｍｍ×２７ｍｍ×４ｍｍの試験板（約３ｇ）に切断し、約４０℃の水道水の流水下で手洗いを行い、牛脂／ヤシ油＝８０／２０の脂肪酸組成を有し、機械練りで調製された同重量の固形石鹸（標準品）を同条件で手洗いしたときの溶解性（溶け易さ）と泡立ち性（泡立ち易さ）とを比較した。
【００２９】
溶解性又は泡立ち性評価基準
ランク    基準
◎：  機械練り標準品に比べ著しく優れている場合
○：  機械練り標準品に比べ優れている場合
△：  機械練り標準品と同等な場合
×：  機械練り標準品に比べ劣っている場合
【００３０】
（硬さ試験）
固形洗浄剤組成物を溶解性試験で使用したものと同じ大きさの試験板に加工し、その中心線を境に折り曲げたときの硬さを、牛脂／ヤシ油＝８０／２０の脂肪酸組成を有し、機械練りで調製された同重量の固形石鹸（標準品）を同条件で折り曲げたときの硬さと比較した。
【００３１】
硬さ評価基準
ランク    基準
◎：  機械練り標準品に比べ硬い場合
○：  機械練り標準品と同等の硬さである場合
×：  機械練り標準品に比べ柔らかい場合
【００３２】
【表１】
0003752033.tif 000002
【００３３】
【表２】
0003752033.tif 000003
【００３４】
表１及び表２の結果から、実施例１〜４の固形洗浄剤組成物は、従来の標準的な機械練り固形石鹸に比べ、溶解性及び泡立ち性に優れており、しかも同等の硬さを有していたことがわかる。なお、高級脂肪酸塩中のカリウム塩の含量が、３３重量％である実施例５の固形洗浄剤組成物については、従来の標準的な機械練り固形石鹸に比べ、溶解性については同等であるが、泡立ち性及び硬さの点で優れていたことがわかる。従って、高級脂肪酸塩中のカリウム塩の含有量を少なくとも３０重量％とすることが必要であることがわかる。
【００３５】
一方、成分（Ｂ）の塩を含有していない比較例１の固形洗浄剤組成物、及び成分（Ｃ）の水の含有量が８０重量％を超える比較例２の固形洗浄剤組成物はいずれも固化せず、固形石鹸を構成することができなかった。
【００３６】
【発明の効果】
本発明の固形洗浄剤組成物は、従来の機械練りの固形石鹸と同等もしくはそれよりも良好な溶解性と泡立ち性とを有し、しかも通常の持ち運びに耐えうる硬度を有する。従って、一回で使い切りできるような大きさに成形すると、携帯用の一回使い切り固形石鹸として有用となる。